(57)【要約】【課題】押圧する際に、打ち込み装置に相対的なハンドルの移動経路を十分かつ、同時にわずかな力で得ることができる姿勢アダプタおよび作動装置を得る。【解決手段】ハンドル２１の作動素子２４から打ち込み装置１０の操作素子１３に操作伝達をするスイッチ操作索３０は、スイッチ部材３４を有し、指向する方向に応じて操作伝達を係止するための安全装置５０として構成素子のチャネル５６内に摺動可能に案内した少なくとも３個の係止素子５５ａ，５５ｂ，５５ｃを設け、スイッチ部材３４に構成素子に対して開口する凹所５１を設ける。チャネル５６を、軸線Ａに直交する断面Ｅに対して傾斜させ、またチャネル５６は部分的にスイッチ部材３４の軸線方向投影に交差させ、かつ交差領域５９においてスイッチ部材３４に対して開口させ、スイッチ部材３４の軸線方向投影に対して割線状に延在させる。【選択図】図２
2008296364.tif 000002
【特許請求の範囲】
【請求項１】
操作素子（１３）によって作動可能な手持ち式打ち込み装置（１０）のための操作伝達を行う姿勢アダプタ装置であって、打ち込み装置（１０）のための装着手段（２２）を、軸線（Ａ）を画定するロッド状のハンドル（２１）の端部に設け、ハンドル（２１）の作動素子（２４）から操作素子（１３）に操作伝達をするための機械的なスイッチ操作索（３０）を設け、このスイッチ操作索（３０）は、少なくとも１個の、構成素子に対して相対的に軸線（Ａ）に沿って摺動可能なスイッチ部材（３４）を有し、さらに、指向する方向に応じて操作伝達を係止するための安全装置（５０）を設け、安全装置（５０）は構成素子のチャネル（５６）内に摺動可能に案内した係止素子（５５ａ，５５ｂ，５５ｃ）を有するものとし、スイッチ部材には、係止素子（５５ａ，５５ｂ，５５ｃ）のための、構成素子に向かって開口する凹所（５１）を設けた姿勢アダプタ装置において、
それぞれ別個のチャネル（５６）に案内した少なくとも３個の係止素子（５５ａ，５５ｂ，５５ｃ）を備え、各チャネル（５６）を、軸線（Ａ）に直交する断面（Ｅ）に対して傾斜させ、また各チャネル（５６）は、部分的にスイッチ部材（３４）の軸線方向投影に交差し、かつこの交差する領域（５９）においてスイッチ部材（３４）に対して開口し、チャネル（５６）をスイッチ部材（３４）の軸線方向投影に対して割線状に延在させたことを特徴とする姿勢アダプタ装置。
【請求項２】
請求項１記載の装置において、チャネル（５６）を回転対称に軸線（Ａ）の周りに分布させた姿勢アダプタ装置。
【請求項３】
請求項１または２記載の装置において、係止素子（５５ａ，５５ｂ，５５ｃ）をピン状に構成した姿勢アダプタ装置。
【請求項４】
請求項１記載の装置において、スイッチ部材をバー状に構成し、結合素子（２８）として構成した構成素子の円柱状の領域（４６）に案内した姿勢アダプタ装置。
【請求項５】
請求項１記載の装置において、チャネル（５６）を２０°〜５０°の角度(α)だけ前記断面（Ｅ）に対して傾斜させた姿勢アダプタ装置。
【請求項６】
請求項１または５記載の装置において、スイッチ部材（３４）の軸線方向投影に対するチャネル（５６）の交差領域（５９）が軸線（Ａ）に対して深さ（Ｔ）を有し、この深さ（Ｔ）をチャネル（５６）の直径（Ｄ）よりも小さいものとした姿勢アダプタ装置。
【請求項７】
請求項１または４記載の装置において、凹所（５１）をスイッチ部材の軸線方向両側の端部を閉じた、周方向に延在する環状の溝として構成した姿勢アダプタ装置。
【請求項８】
請求項１または７記載の装置において、凹所（５１）の軸線方向端部を画定する溝壁（５２）を、軸線（Ａ）に対して傾斜させることにより、凹所（５１）の軸線方向に見て直径が、半径方向外方から半径方向内方に減少するものとした姿勢アダプタ装置。       
【発明の詳細な説明】
【技術分野】
【０００１】
本発明は、特許請求の範囲における請求項１の前段に記載した、操作素子によって作動可能な手持ち式打ち込み装置のための操作伝達を行う姿勢アダプタ装置に関する。この種の操作伝達を行う姿勢アダプタ装置は、例えば手持ち式打ち込み装置を高い天井など、頭上における取り付け作業するときに用いる。姿勢アダプタ装置を用いない場合、このような天井における作業は足場や梯子を用いなければならない。姿勢アダプタ装置によって使用する打ち込み装置は、例えば固体、気体、液体燃料、また、空気圧または圧搾空気によって、もしくは電気的に駆動可能とする。
【背景技術】
【０００２】
特許文献１（米国特許第４４７９５９９号）には、燃焼力駆動式の打ち込み装置のための姿勢アダプタおよび操作装置が記載されている。この姿勢アダプタおよび操作装置は打ち込み装置のための装着手段を有し、この装着手段を、ロッドまたはバーとして構成した、細長いハンドルの端部に設ける。ロッドを装着手段に相対的に軸線方向に摺動可能とし、これにより結合手段に固定した打ち込み装置の作動スイッチを連結手段によって操作できる。打ち込み装置を装着手段によって操作するためには、打ち込み装置を砲口部分において天井に当接し、作業員がハンドルまたはロッドを天井の方向に押し込む。姿勢アダプタおよび操作装置はさらに安全装置を有し、この安全装置は、打ち込み装置が砲口を正確に重力の方向に整列する向きで操作することを阻止する。安全装置はこのため、ボールとして構成した係止素子を有し、この係止素子を、結合手段として構成した構成素子における、ロッドの軸線に対して傾斜して延在させたチャネルとして構成した凹所に案内する。このボールは、重力の方向に指向させた場合、ロッドの移動経路内に転動し、ロッドが支持体に対してさらに移動し、これにより支持体に配置した打ち込み装置の操作を回避する。ロッドはさらに、装着手段側の端部において、半径方向を包囲する他の凹所を有し、この凹所にボールが落ち込むことができるようにしている。
【０００３】
既知の姿勢アダプタおよび作動装置は、姿勢アダプタおよび操作装置を装着した打ち込み装置の砲口を正確に重力の方向を指向させた場合しか、打ち込み装置の操作を確実に阻止できないという欠点を有する。
【０００４】
特許文献２（米国特許第７０１４０８５号）には、爆発力駆動式の打ち込み装置が記載されている。この打ち込み装置はハウジングを有し、このハウジングから突出する細長いハンドルと、ボールによって制御する安全係止装置とを備え、この安全係止装置により打ち込み装置を、重力とは反対方向の垂直またはほぼ垂直な方向を指向させた場合にのみ操作を可能にする。ボール制御によるこのボールを、ハンドルとハウジングとの間の環状の収容空間に備える。
【０００５】
既知の打ち込み装置は、ボールの直径は、ボールの解放位置において制御するハウジングに相対的なハンドルの最大の移動経路を画定し、この移動経路内において点火の開始等、すべての必須な機能が行われなければならないという欠点を有する。そのため、このような短い移動経路のために高い押圧力を必要とする。さらにこの打ち込み装置は、打ち込み装置を持ち上げて釈放する際と、打ち込み装置を下ろして新たに係止する際とで、全く異なる角度を呈するという欠点を有する。すなわち、打ち込み装置を重力とは反対の垂直方向の向きから逸脱する場合、打ち込み動作を行うことできなくなる臨界角が、作動前の打ち込み装置の向き変化によって異なる。さらに、打ち込み装置を旋回させながら、壁に対して水平にまたは床の方向に下方に押圧した場合、係止ボールが係止位置から転動して離れ得るため、打ち込み装置が意図せずに解放される。
【特許文献１】米国特許第４４７９５９９号明細書
【特許文献２】米国特許第７０１４０８５号明細書
【発明の開示】
【発明が解決しようとする課題】
【０００６】
本発明の課題は、上述の欠点を回避し、押圧する際に打ち込み装置に相対的なハンドルの移動経路を十分かつ、同時にわずかな力で得ることができる姿勢アダプタおよび操作装置を得ることにある。
【課題を解決するための手段】
【０００７】
この課題は、本発明特許請求の範囲における独立項の後段に記載の特徴を有する、操作素子によって作動可能な手持ち式打ち込み装置のための操作伝達を行う姿勢アダプタ装置によって解決する。本発明によれば、それぞれチャネルに案内した少なくとも３個の係止素子を備え、各チャネルを軸線に直交する断面に対して傾斜させ、また各チャネルは、部分的にスイッチ部材の軸線方向投影に交差し、かつこの交差する領域においてスイッチ部材に対して開口させる。またチャネルをスイッチ部材の軸線方向投影に対して割線状に延在させる。すなわち、チャネルをスイッチ部材の軸線を通過するのではなく、軸線方向投影の周辺で交差させる。
【発明の効果】
【０００８】
これにより、姿勢アダプタ装置を特定の方向を指向させた場合だけでなく、長手軸線に対して回転対称な、許容された方向からそれた他の傾斜位置においても、安全装置が係止位置をとることができる。これは、常に少なくとも１個の係止素子がチャネルの交差領域においてスイッチ部材と接触することにより、凹所に到達するためである。これにより、姿勢アダプタ装置が垂直線（すなわち重力のベクトルの反対方向）の傾斜位置に移行し、この傾斜位置が最大限に許容可能な傾斜角度を上回った場合に係止位置が発動される。
【０００９】
同時に、スイッチ部材の最大ストロークが係止素子の大きさによって決定されない。押し当て経路によって制御する、例えば打ち込み装置の操作または、火薬駆動式の打ち込み装置におけるカートリッジの移送などの機能を、最適な力伝達挙動に基づいて実施できる。これにより、高い押圧力は不要となる。同様に打ち込み装置が、姿勢アダプタ装置を重力のベクトルの方向を指向させた場合および／またはこの方向から傾斜させた位置をとる場合にのみ作動することも期待できる。
【発明を実施するための最良の形態】
【００１０】
好適には、チャネルを回転対称に軸線の周りに分布させることにより、係止機能が、装置の長手軸線を中心とするそれぞれの回転位置において、常に一定の解放角度で操作伝達を許容する。
【００１１】
好適には係止素子をピン状に構成することにより、装置を動的に壁または床に対して移動し、発生した加速力によりチャネル内の係止素子が係止位置から脱する傾向を見せる場合に、係止位置が早期に解放されることを回避できる。これは、ピン状の係止素子がボールの係止素子と比較して全体の軸線方向の長さに渡って係止作用を有するためである。このようにして、早期に係止位置が解放されることを回避できる。
【００１２】
好適には、スイッチ部材をバー状に構成し、結合素子として構成した構成素子の円柱状の領域に案内することもできる。この結合素子は支持構造の一部として構成し、この支持構造にスイッチ操作索を可動部分によって案内することにより、安全装置は、打ち込み動作が可能な向きにおいてスイッチ操作索の下方に位置するため、係止素子に作用する力が係止状況において小さくなる。
【００１３】
代案として、構成素子を例えばグリップ部材または装着手段によって構成することもできる。
【００１４】
チャネルを２０°〜５０°の角度だけ、軸線に直交する断面から傾斜させると有利である。これにより、一方で重力方向とは逆向きの垂直方向またはこの方向からわずかに傾斜させた方向において確実に解放切替えをでき、他方で重力のベクトルに直交する方向(水平方向)を指向させた場合または、重力の方向に動的に押し当てる場合に、操作伝達を確実に係止できる。
【００１５】
好適には、スイッチ部材の軸線方向投影に対するチャネルの交差領域の、軸線に対する深さをチャネルの直径よりも小さいものとする。これにより、係止素子をチャネル内で十分に案内することができ、一方でチャネルによってスイッチ部材の軸線方向投影またはスイッチ部材のための案内孔を割線状に交差することができる。
【００１６】
さらに、好適には、凹所をスイッチ部材の軸線方向両側の端部を閉じた、周方向に延在する環状の溝として構成する。この構成によれば、係止素子のための凹所へのアクセス性が良好となり、操作伝達が許容されない向きに移行する際に、係止素子はチャネルから係止作用を行う凹所に進入することができる。
凹所をスイッチ部材の軸線方向両側端部を画定する溝壁を、軸線に対して傾斜させ、凹所の軸線方向に見て直径が半径方向外方から内方に向かって減少するようにすると好適である。これにより、ピン状の係止素子が係止位置をとる場合、係止ピンの外側面と傾斜させたスイッチ部材の溝壁との間に点接触でなく線接触が生ずる。接触領域における面圧力を、このようにして減少できる。
【００１７】
次に、図面につき本発明の好適な実施例を説明する。
【実施例１】
【００１８】
図１〜図６には、例としてモジュール構成とした、手持ち式打ち込み装置１０のための操作伝達を行う本発明による姿勢アダプタ姿勢アダプタ装置２０を示す。完全に組み立てた姿勢アダプタ装置２０では、図１に示すロッド状のハンドル２１の部分２１ａと部材２１ｂとを、結合素子２８および対向結合素子２９において連結する。結合素子２８と対向結合素子２９との間の連結を解除可能とすることにより、姿勢アダプタ装置２０を組み立ておよび分解できる。ロッド状のハンドル２１は、長手方向に姿勢アダプタ装置２０の軸線Ａを画定する。この種の姿勢アダプタ装置２０によって打ち込み装置１０を延長することにより、打ち込み装置で例えば天井など頭上における作業を行える。
【００１９】
図１に示す打ち込み装置１０は、単一部分構造または複数部分構成としたハウジング１１内に装着した打ち込み工具によって固定素子を構造物素子に打ち込む。打ち込み動作を開始するために、打ち込み装置１０のハンドグリップ１２に操作素子１３を設ける。打ち込み装置１０は、ハウジング１１に対面配置した砲口部分１４を有し、この砲口部分１４をハウジング１１に相対的に摺動可能とする。打ち込み装置１０を砲口部分１４において構造物素子(図示しない)に押し当てると、打ち込み装置１０は打ち込み準備が完了した状態に移行し、この状態において打ち込み動作を操作素子１３によって開始できる。姿勢アダプタ装置２０はスイッチ操作索３０を有し、このスイッチ操作索３０によってロッド状のハンドル２１の作動素子２４から、例えば操作スイッチとして構成した打ち込み装置１０の操作素子１３に操作伝達をする。すなわち、作動素子２４はこの際、遠隔操作スイッチとして働く。
【００２０】
図１に示すように、手持ち式打ち込み装置１０を姿勢アダプタ装置２０の装着手段２２に備え、この装着手段２２において第１保持手段３８および第２保持手段３９によって可逆的に固定する。第２保持手段３９のねじ手段４０を緩めることにより、再び装着手段２２を打ち込み装置１０から取り外すことができる。打ち込み装置と姿勢アダプタ装置との間の連結を、代案としてねじ連結によって行うこともでき、この場合、例えば打ち込み装置に雌ねじを、姿勢アダプタ装置に雄ねじを（または逆）設ける。
【００２１】
ロッド状のハンドル２１の第１部分２１ａに細長い作動スリーブとして構成した作動素子２４を設け、この作動素子２４を中空のバーとして構成した、支持構造の支持素子２３に対して案内する。作動スリーブの代わりに作動レバーを使用することもでき、この作動レバーを例えば、ハンドル２１の結合素子２８とは反対側の端部におけるグリップ部分に設けることができる。
【００２２】
作動素子２４を、軸線Ａに平行に支持素子２３に相対的に摺動可能とする。支持素子２３またはハンドル２１の、装着手段２２とは反対側の遊端２５にフット部材２６を設け、このフット部材２６を作動素子２４の、装着手段２２側とは反対側の軸線方向の端部２７に設ける。支持素子２３を結合素子２８に固着し、この結合素子２８の支持素子２３側とは反対側の端部に、対向結合素子２９のための収容部３６を設ける。結合素子２８のフット部材２６側の端部にはばね素子４２のための支持部分４１を設け、このばね素子４２の他方のばね端部を、内側スリーブとして構成した中間素子４３によって作動素子２４に支持し、この作動素子２４に対して図１に示す開始位置の方向に弾性的にばね負荷を加える。このために、中間素子４３を作動素子２４に固着する。
【００２３】
作動素子２４を、スイッチ操作索３０のスリーブ状の第１スイッチ部材３３に連結する。この第１スイッチ部材３３により、支持素子２３に固定した連結素子２８の領域４６を少なくとも部分的に包囲する。第１スイッチ部材３３をピンとして構成した、スイッチ操作索３０の第２スイッチ部材３４と協調動作させ、この第２スイッチ部材３４を、結合素子２８において袋穴として構成したガイド４４に摺動可能に案内する。第１スイッチ部材３３を、長手軸線Ａに直交するように延在させ突起として構成した連結手段４７により第２スイッチ部材３４に連結する。連結手段４７を、結合素子２８の領域４６に設けたスリット状の貫通開口(図示しない)に貫通させ、このスリット状の貫通開口により連結手段４７が結合素子２８に相対的に、かつ軸線Ａに平行に摺動することが可能となる。
【００２４】
ロッド状のハンドル２１の第２部分２１ｂに装着手段２２を備える。ロッド状のハンドル２１の第２部分２１ｂにおける、装着手段２２とは反対側の端部にはリング状に構成した対向結合素子２９を設け、この対向結合素子２９を、上述したように結合素子２８の収容部３６に挿入可能とする。結合素子２８と対向結合素子２９との間の連結を着脱可能とすることにより、姿勢アダプタ装置２０の組み立ておよび、再び解離することが可能となる。
【００２５】
ロッド状のハンドル２１の第２部分２１ｂには、さらに第３スイッチ部材３５を設け、結合素子２８と対向結合素子２９とを互いに連結すると、この第３スイッチ部材３５が第２スイッチ部材３４と連係動作する。第３スイッチ部材３５をロッド状に構成し、ロッド状のハンドル２１における第２部分２１ｂの内側空間に案内する。ロッド状のハンドル２１から装着手段２２に移行する部位において、第３スイッチ部材３５をスイッチ操作索３０の他のスイッチ部材によって、少なくとも移動方向に装着手段２２に対して結合できる。装着手段２２における、スイッチ操作索３０の遊端にはさらに伝達体３７を設け、この伝達体３７を装着手段２２に備えた打ち込み装置１０の操作素子１３と協調動作させる。ばね手段４９によりスイッチ操作索３０に、装着手段２２において伝達体３７と共に図１に示す非作動位置の方向にばね負荷を加え、この非作動位置では伝達体３７によって打ち込み装置１０の操作素子１３を押圧しないものとする。
【００２６】
第１部分２１ａおよび第２部分２１ｂの他に、ハンドル２１に１個または複数個の延長部分を設けることができ、この延長部分を第１部分２１ａと第２部分２１ｂとの間に設け、それぞれ一方の端部に結合素子、他方の端部に対向結合素子を設けることができる。さらに延長部分の内側空間には同様に、スイッチ操作索のスイッチ部材を移動可能に案内できる。
【００２７】
姿勢アダプタ装置２０はさらに安全装置５０を有し(とくに図２および図６参照)、この安全装置５０により、姿勢アダプタ装置２０を装着した打ち込み装置１０が許可された方向以外を指向する場合に、作動素子２４によって操作することを阻止する。この安全装置５０を、図示した実施例において結合素子２８の収容部３６とは反対側の領域４６によって構成する支持構造の構成素子と、実施例において第２スイッチ部材３４によって構成し、構成素子に相対的に軸線Ａに沿って摺動するスイッチ操作索３０との間に設ける。安全装置５０は半径方向を包囲する環状の溝として構成した凹所５１を、第２スイッチ部材３４の外周に設ける。この凹所５１は、領域４６に向かって、または半径方向外方に開放する。凹所５１を軸線方向に関して溝壁５２によって画定し、この溝壁５２を軸線Ａに関して傾斜させることにより、軸線方向に見て、凹所５１の直径は、半径方向外方から半径方向内方に移行するに従って減少する。
【００２８】
安全装置５０は、さらに複数個の、図示した実施例では正確に３個の、チャネル５６を結合素子２８の領域４６に設け、これらチャネル５６は軸線Ａの周囲に回転対称となるよう分布し、軸線Ａに直交する断面Ｅに対して２０°〜５０°の角度αだけ傾斜する(とくに図２、図４および図６参照)。チャネル５６は自身の長手方向軸線に直交する円形の横断面を有する。チャネル５６の半径方向外方の端部５８を、結合素子２８の外側面における領域４６の部分に開口させ、チャネル５６の半径方向内方の端部５７を閉鎖する。チャネル５６は、部分的にスイッチ部材３４の軸線方向投影に対して割線のように交差し、これら交差領域５９において第２スイッチ部材３４に対して開口する。チャネル５６の、半径方向外方の端部５８から交差領域５９までの長さＬ２を、チャネル５６の半径方向内方の端部５７から交差領域５９までの長さＬ１よりもそれぞれ大きいものとする(図２参照)。チャネル５６の交差領域５９および第２スイッチ部材３４の軸線方向投影はさらに、軸線Ａに対して深さＴを有し、この深さＴをチャネル５６の直径Ｄよりも小さいものとする(とくに図３参照)。各チャネル５６に、それぞれ細長い円柱状のピンとして構成した係止素子５５ａ，５５ｂ，５５ｃを摺動可能に案内する。チャネル５６の内方の端部５７から交差領域５９までの長さＬ１を、ピン状の係止素子５５ａ，５５ｂ，５５ｃの長さＬ３よりも小さいものとする(図２参照)。さらに、チャネル５６の長手方向における交差領域５９の長さＬ４もピン状の係止素子５５ａ，５５ｂ，５５ｃの長さＬ３よりも小さいものとする。
【００２９】
図１〜図３に示す姿勢アダプタ装置２０の開始位置において、この姿勢アダプタ装置２０を打ち込み装置１０の砲口部分１４によって、重力のベクトルＧとは反対方向に指向させる(例えば天井の方向)。作動素子２４は、作動させない状態では、ばね素子４２によって最大限にカップ状のフット部材２６内に摺動して進入する。これにより、第２スイッチ部材３４も同様に、最大限に結合素子２８のガイド４４内に進入する。また、第３スイッチ部材３５および、ストローク方向に続く伝達体３７を有するスイッチ操作索３０の残りの部分は作動しない。
【００３０】
図２および図３には、姿勢アダプタ装置において安全装置５０を備えた領域を、図１に示す重力のベクトルＧとは反対方向を指向させた状態で拡大して示す。図示のように、ピン状の係止素子５５ａはチャネル５６の半径方向外方における、チャネル５６における半径方向外方の端部５８側の領域に位置するため、領域４６と第２スイッチ部材３４との間の交差領域５９において係止作用を有さない。他の係止素子５５ｂ，５５ｃ（ただし、図２において係止素子５５ｃは断面から外れた位置にあるため図示されていない）もチャネル５６における半径方向外方の端部５８側の領域に位置するため、同様に係止作用を有さない。安全装置５０は、姿勢アダプタ装置２０をこのように指向させる場合、操作伝達位置にある。姿勢アダプタ装置２０を装着した打ち込み装置１０を、このように指向させた状態で砲口部分１４を天井や他の構造体素子に押し当てることができ、作動素子２４を結合素子２８に対して摺動することにより打ち込み動作を開始することができる。これは、係止素子５５ａ，５５ｂ，５５ｃが、第２スイッチ部材３４の、構成部材の支持構造または結合素子２８の領域４６に対する相対的な運動は、自身が完全に第１凹所５１に進入するのを許容するためである。図２に示すように、この際、第２スイッチ部材３４を作動素子２４および第１スイッチ部材３３によって第１矢印１５の方向に、結合素子２８およびこの結合素子２８の領域４６に対して相対的に摺動する（第２スイッチ部材３４を破線で示す）。第２スイッチ部材３４によってスイッチ操作索３０の後続する部分もまた、操作素子１３のための伝達体３７まで作動し（図２および図３には示さない）、これにより装着手段２２を装着した打ち込み装置１０を、このように重力のベクトルＧとは反対方向に指向させた状態で作動することができる。
【００３１】
姿勢アダプタ装置２０を、図１〜３に示した方向に対して最大約２５°〜５０°傾斜させた場合でも、ピン状の係止素子５５ａ，５５ｂ，５５ｃがチャネル５６の半径方向に関して外方の端部５８側の領域に留まるため、操作伝達することができる。安全装置５０が実際は解放位置にあるにも関わらず、ピン状の係止素子５５ａ，５５ｂ，５５ｃが部分的に、すなわち端部において交差領域５９に位置する場合、押し当てる際に、軸線Ａに対して傾斜して延在させた凹所５１の溝壁５２によって解放位置に押圧することができる。
【００３２】
図４には、安全装置５０を有する姿勢アダプタ装置２０を、例として軸線Ａを重力のベクトルＧに直交させた状態を示す。図示するように、１個のピン状の係止素子５５ａがチャネル５６における半径方向内方の端部５７側の領域に位置し、これにより、係止素子の長さＬ３とチャネル５６の内方の端部５７から交差領域５９までの長さＬ１との比に基づいて、係止素子５５ａは少なくとも部分的に交差領域５９において係止作用を有する。この時、安全装置５０は係止位置にある。打ち込み装置１０を、姿勢アダプタ装置２０がこの方向に指向する状態で砲口部分１４を構造体素子に押し当てた場合、作動素子２４を結合素子２８の方向に摺動しても打ち込み動作は開始しない。これは、ピン状の係止素子５５ａがこの係止位置において第２スイッチ部材３４による支持構造の構成素子または、結合素子２８の領域４６に対する相対的な運動を、自身が凹所５１に位置するため非常に短い経路のみ許容し、この経路が必要とするスイッチストロークよりも短いためである。
【００３３】
図５および図６には、安全装置５０を有する姿勢アダプタ装置２０の軸線Ａを、例として重力のベクトルＧの方向を指向させて示す。図示するように、ピン状の係止素子５５ａ，５５ｂ，５５ｃはそれぞれ、チャネル５６における半径方向内方の端部側の領域５７に位置し、これにより、ピン状の係止素子５５ａ，５５ｂ，５５ｃの長さＬ３と、内方の端部５７から交差領域５９までの長さＬ１との比に基づいて、係止素子５５ａ，５５ｂ，５５ｃは少なくとも部分的に交差領域５９において係止作用を有する。すなわち、安全装置５０はこの方向を指向する場合も係止位置にある。打ち込み装置１０を、姿勢アダプタ装置２０がこの方向に指向する状態で砲口部分１４を構造体素子に押し当てた場合、作動素子２４を結合素子２８の方向に摺動しても打ち込み動作は開始しない。これは、ピン状の係止素子５５ａ，５５ｂ，５５ｃが係止位置において、第２スイッチ素子３４による支持構造の構成素子または、結合素子２８の領域４６に対する相対的な運動を、自身が凹所５１に挿入されているため非常に短い経路のみ可能とし、この経路が必要とするスイッチストロークよりも短いためである。
【実施例２】
【００３４】
図６において、さらに、チャネル５６の他の構成実施例も想定できる。この実施例では、チャネル５６の半径方向内方の端部５７を円錐状に拡張し、これによりピン状の係止素子５５ａ，５５ｂ，５５ｃの中心軸線を、それぞれのチャネル５６の中心軸線に対して傾斜させることができる。これにより、例えば姿勢アダプタ装置１０を打ち込み装置によって、重力のベクトルＧの方向またはベクトルＧに直交する方向に動的に押し当てる場合、係止時間が延長され、この係止時間において少なくとも１個のピン状の係止素子５５ａ，５５ｂ，５５ｃが、少なくとも部分的に交差領域５９において係止作用を有するものとする。これは、ピン状の係止素子５５ａ，５５ｂ，５５ｃがまず導管５６の中心軸線の方向を指向しなければ、交差領域５９から離れることができないためである。
【図面の簡単な説明】
【００３５】
【図１】本発明の操作伝達を行う姿勢アダプタ装置、および装着手段を備えた、手持ち式打ち込み装置の押し付けていない状態における部分的に分解して示す一部断面とする側面図である。
【図２】本発明の非作動位置における姿勢アダプタ装置の、図１における領域ＩＩを拡大して詳細を示す、長手軸線に平行な縦断面図であって、さらに、姿勢アダプタ装置を重力とは反対方向に垂直に指向させた状態における作動位置を細かい点線で示す説明図である。
【図３】図２に示す姿勢アダプタ装置の非作動位置における詳細を示す、中心における縦断面図である。
【図４】図２に示す姿勢アダプタ装置の、水平方向を指向させた状態での非作動位置における詳細を示す、長手軸線に平行な縦断面図である。
【図５】図２に示す姿勢アダプタ装置の、重力方向に垂直に指向させた状態での非作動位置における詳細を示す、長手軸線に平行な縦断面図である。
【図６】図５に示す姿勢アダプタ装置の非作動位置における透視図である。
【符号の説明】
【００３６】
１０  打ち込み装置
１１  ハウジング
１２  ハンドグリップ
１３  操作素子
１４  砲口部分
１５  第１矢印
２０  姿勢アダプタ装置
２１  ハンドル
２１ａ  第１部分
２１ｂ  部材
２２  装着手段
２３  支持素子
２４  作動素子
２５  遊端
２６  フット部材
２８  結合素子
２９  対向結合素子
３０  スイッチ操作索
３３  第１スイッチ部材
３４  第２スイッチ部材
３５  第３スイッチ部材
３６  収容部
３７  伝達体
３８  第１保持手段
３９  第２保持手段
４０  ねじ手段
４１  支持部分
４２  ねじ素子
４３  中間素子
４４  ガイド
４６  領域
４７  連結手段
４９  ばね手段
５０  安全装置
５１  凹所
５２  溝壁
５５ａ  係止素子
５５ｂ  係止素子
５５ｃ  係止素子
５６  チャネル
５７  端部
５８  端部
５９  交差領域
Ａ  軸線
Ｌ１  長さ
Ｌ２  長さ
Ｌ３  長さ
Ｌ４  長さ
【図１】
2008296364.tif 000003
【図２】
2008296364.tif 000004
【図３】
2008296364.tif 000005
【図４】
2008296364.tif 000006
【図５】
2008296364.tif 000007
【図６】
2008296364.tif 000008